(57)【要約】【課題】或る部屋のテレビ１０で視聴していた番組と同じ番組を、別のテレビ２０で続けて視聴する場合に、そのチャンネル（番組）の設定操作を不要とする。【解決手段】視聴情報で指示されるテレビ放送を視聴するテレビ視聴機能と近距離無線通信機能とを備え、視聴中のテレビ放送を特定する視聴情報又は近距離無線通信機能により受信される視聴情報を視聴情報メモリに記憶する手段と、視聴情報メモリが持つ最新の視聴情報を読み出して近距離無線通信機能を介して外部機器へ送信する手段と、テレビ放送の視聴開始が指令されると視聴情報メモリが持つ最新の視聴情報を読み出してテレビ視聴機能に与える手段とを有するテレビ付き携帯電話機２０。【選択図】      図１
2006014122.tif 000002
【特許請求の範囲】
【請求項１】
視聴情報で指示されるテレビ放送を受信して映像等出力するテレビ視聴機能と近距離無線通信機能とを備えた携帯電話機であって、
前記テレビ視聴機能により受信されるテレビ放送を特定する視聴情報又は前記近距離無線通信機能により受信される視聴情報を取得して所定の視聴情報メモリに記憶する記憶制御手段と、
前記視聴情報メモリが持つ最新の視聴情報を読み出して前記近距離無線通信機能を介して外部機器へ送信する送信制御手段と、
テレビ放送の視聴開始が指令されると前記視聴情報メモリが持つ最新の視聴情報を読み出して前記テレビ視聴機能に与える視聴制御手段と、
を有することを特徴とする携帯電話機。
【請求項２】
請求項１に於いて、
前記記憶制御手段は、取得した視聴情報の日時が前記視聴情報メモリが保持する視聴情報の日時よりも新しいことを条件として、当該取得した視聴情報を記憶する、
ことを特徴とする携帯電話機。
【請求項３】
請求項１に於いて、
前記記憶制御手段は、前記テレビ視聴機能が動作中でないことを条件として、前記近距離無線通信機能により受信される視聴情報を記憶する、
ことを特徴とする携帯電話機。
【請求項４】
請求項１に於いて、
前記送信制御手段は、所定のタイミング毎に前記近距離無線通信機能を介して外部機器へ視聴情報の送信を要求する、
ことを特徴とする携帯電話機。
【請求項５】
請求項４に於いて、
前記送信制御手段は、外部機器から受信される送信要求に応じて、又は所定のタイミング毎に、又は視聴番組の切換に応じて、視聴情報を送信する、
ことを特徴とする携帯電話機。
【請求項６】
近距離無線通信機能を備えた携帯型電子装置であって、
前記近距離無線通信機能により受信される状態情報を取得して所定の状態情報メモリに記憶する記憶制御手段と、
前記状態情報メモリが持つ最新の状態情報を読み出して前記近距離無線通信機能を介して外部機器へ送信する送信制御手段と、
を有することを特徴とする携帯型電子装置。
【請求項７】
視聴情報で指示されるテレビ放送を受信して映像等出力するテレビ視聴機能と近距離無線通信機能とを備えたテレビ視聴装置であって、
前記テレビ視聴機能により受信されるテレビ放送を特定する視聴情報又は前記近距離無線通信機能により受信される視聴情報を取得して所定の視聴情報メモリに記憶する記憶制御手段と、
前記視聴情報メモリが持つ最新の視聴情報を読み出して前記近距離無線通信機能を介して外部機器へ送信する送信制御手段と、
テレビ放送の視聴開始が指令されると前記視聴情報メモリが持つ最新の視聴情報を読み出して前記テレビ視聴機能に与える視聴制御手段と、
を有することを特徴とするテレビ視聴装置。
【発明の詳細な説明】
【技術分野】
【０００１】
本発明は、他のテレビ視聴装置の視聴番組を自動的に自装置の視聴対象としたり、他のテレビ視聴装置の視聴番組を自動的に別の他のテレビ視聴装置の視聴対象とする機能を備えたテレビ付き携帯電話機、携帯型電子装置、及び、テレビ視聴装置に関する。
【背景技術】
【０００２】
リモコン装置にテレビ視聴機能を具備させ、該リモコン装置にて視聴しているチャンネルの情報を、所定のキー操作に応答して遠隔操作対象のテレビ視聴装置へ送信し、該送信先のテレビ視聴装置にて当該チャンネルの受信・表示を継続する機能を備えた装置が提案されている（特許文献１，参照）。この装置では、通常はリモコン装置でテレビ放送を視聴し、大画面で見たい場面になると大型のテレビ視聴装置に切り換えるため、大型のテレビ視聴装置の視聴時間を低減することができる。このため、電力消費を低減できるとともに、受像管の寿命を長くできる効果がある。
【０００３】
【特許文献１】特開平６−３０３４５２号公報。
【発明の開示】
【発明が解決しようとする課題】
【０００４】
例えば、客間でテレビを視聴していた時に家族に来客があったため、自室へ移動して続きを視聴する場合には、自室のテレビをオンした後、そのチャンネル（番組）を客間のテレビと同じチャンネル（番組）に設定する必要がある。
また、帰宅途中にテレビ付き携帯電話機で視聴していた番組を、自宅のテレビ視聴装置で継続して視聴する場合には、自宅のテレビをオンした後、そのチャンネル（番組）をテレビ付き携帯電話機と同じチャンネル（番組）に設定する必要がある。
本発明は、別のテレビと同じ番組を視聴する場合に、そのチャンネル（番組）の設定操作を不要とすることを目的とする。
【０００５】
会社のコンピュータで或るアプリケーションを実行し、帰宅後、自宅のコンピュータを起動する場合に、会社で実行していたアプリケーションを自動的に起動したいという要請がある。
また、自分の自動車で出社し、会社の自動車に乗り換えた場合に、座席設定を、自動的に自分の自動車に合わせたいという要請がある。
また、或る部屋のエアコンの設定を、別の部屋へ移動した時に、自動的に当該別の部屋のエアコンに設定したいという要請がある。
本発明は、上記のような要請に応えることを目的とする。
【課題を解決するための手段】
【０００６】
本発明は、下記［１］〜［７］のように構成される。
［１]構成1:
視聴情報で指示されるテレビ放送を受信して映像等出力するテレビ視聴機能と近距離無線通信機能とを備えた携帯電話機であって、
前記テレビ視聴機能により受信されるテレビ放送を特定する視聴情報又は前記近距離無線通信機能により受信される視聴情報を取得して所定の視聴情報メモリに記憶する記憶制御手段と、
前記視聴情報メモリが持つ最新の視聴情報を読み出して前記近距離無線通信機能を介して外部機器へ送信する送信制御手段と、
テレビ放送の視聴開始が指令されると前記視聴情報メモリが持つ最新の視聴情報を読み出して前記テレビ視聴機能に与える視聴制御手段と、
を有することを特徴とする携帯電話機。
【０００７】
映像等出力するとは、受信した情報を、映像、音声、文字等を用い、ユーザが五感で知覚可能な形態で出力することをいう。
近距離無線通信方式は、通常の部屋程度の広さの範囲で無線通信可能な方式であればよく、例えば、ブルートゥース（Bluetooth）を挙げることができる。
視聴情報は、視聴した放送や、視聴している放送を特定できる情報であればよい。アナログ放送であれば、チャンネル（テレビ局）を挙げることができる。また、地上波デジタル放送であれば、チャンネル（テレビ局）とイベントＩＤ又は番組名を挙げることができる。なお、チャンネルとテレビ局とは必ずしも一致しないが、地域が特定されれば一致するため、ここでは、チャンネル＝テレビ局とする。
記憶制御手段が視聴情報メモリのデータを最新の視聴情報で更新するように制御する場合、つまり、従前のデータと今回の視聴情報を比較して、従前のデータが古い場合には該従前のデータを消去して今回の視聴情報を記憶し、従前のデータが新しい場合には何も記憶しないように制御する場合には、送信制御手段や視聴制御手段が視聴情報メモリから読み出すデータは、最新か否かをチェックするまでもなく、最新の視聴情報となる。上記の構成は、かかる場合をも含む。
【０００８】
［２］構成２：
構成１に於いて、
前記記憶制御手段は、取得した視聴情報の日時が前記視聴情報メモリが保持する視聴情報の日時よりも新しいことを条件として、当該取得した視聴情報を記憶する、
ことを特徴とする携帯電話機。
日時とは、受信されるテレビ放送から視聴情報を取得した日時、又は、視聴情報を視聴情報メモリに記憶した日時である。
［３］構成３：
構成１に於いて、
前記記憶制御手段は、前記テレビ視聴機能が動作中でないことを条件として、前記近距離無線通信機能により受信される視聴情報を記憶する、
ことを特徴とする携帯電話機。
テレビ視聴機能が動作中の場合は他の装置から受信される視聴情報は記憶されない。このため、視聴終了後にテレビをオフし、その後、オンした場合には、オフ直前に視聴していたチャンネル・イベントの映像等出力、又は、オフ後に他の装置から受信されて記憶された視聴情報に基づくチャンネル・イベントの映像等出力が行なわれる。
［４］構成４：
構成１に於いて、
前記送信制御手段は、所定のタイミング毎に前記近距離無線通信機能を介して外部機器へ視聴情報の送信を要求する、
ことを特徴とする携帯電話機。
所定のタイミング毎とは、例えば、１秒毎、５秒毎、１０秒毎、３０秒毎、１分毎、５分毎等、付近のテレビ視聴装置の視聴対象（チャンネル・イベント）を反映していると見做せる程度の間隔をおいたタイミングである。
［５］構成５：
構成４に於いて、
前記送信制御手段は、外部機器から受信される送信要求に応じて、又は所定のタイミング毎に、又は視聴番組の切換に応じて、視聴情報を送信する、
ことを特徴とする携帯電話機。
番組が切り換えられた時は、当該装置の視聴情報として付近の装置が持っている情報が正しく無くなった時であるから、切換後の視聴情報を送信する。これにより、付近の装置は、正しい視聴情報を持つことができる。
【０００９】
［６］構成６：
近距離無線通信機能を備えた携帯型電子装置であって、
前記近距離無線通信機能により受信される状態情報を取得して所定の状態情報メモリに記憶する記憶制御手段と、
前記状態情報メモリが持つ最新の状態情報を読み出して前記近距離無線通信機能を介して外部機器へ送信する送信制御手段と、
を有することを特徴とする携帯型電子装置。
【００１０】
近距離無線通信方式は、病院の待合室程度の広さの範囲で無線通信可能な方式であればよく、例えば、ブルートゥース（Bluetooth）を挙げることができる。
携帯型電子装置としては、例えば、携帯電話機、腕時計、ＰＤＡ、ＩＣカード、リモコン等、個人が携帯できる電子機器を挙げることができる。
状態情報としては、先述の視聴情報の他に、例えば、付近のコンピュータで起動されているアプリケーションを特定する情報、自動車の座席の設定位置を特定する情報、エアコンの温度やモード等の設定状態を特定する情報、等を挙げることができる。
構成６の装置を用いると、例えば、会社のコンピュータで実行していたアプリケーションを、帰宅後に自宅のコンピュータを起動した時に自動的に起動したり、自分の自動車から会社の自動車に乗り換えて運転を開始する時に、座席の位置やシートバックの角度等の設定を自動的に自分に合わせたり、部屋を移動してエアコンをオンした時に、温度等の設定を自動的に好みの設定に合わせる等が可能となる。但し、それぞれの機器が対応する機能を具備していることが条件となる。
構成６の装置に、前記構成２〜５と同様の構成を取り入れてもよい。なお、「視聴」の部分を、「状態情報」が想定する機能に応じて適宜に読み替えるものとする。
【００１１】
［７］構成７：
視聴情報で指示されるテレビ放送を受信して映像等出力するテレビ視聴機能と近距離無線通信機能とを備えたテレビ視聴装置であって、
前記テレビ視聴機能により受信されるテレビ放送を指示する視聴情報又は前記近距離無線通信機能により受信される視聴情報を取得して所定の視聴情報メモリに記憶する記憶制御手段と、
前記視聴情報メモリが持つ最新の視聴情報を読み出して前記近距離無線通信機能を介して外部機器へ送信する送信制御手段と、
テレビ放送の視聴開始が指令されると前記視聴情報メモリが持つ最新の視聴情報を読み出して前記テレビ視聴機能に与える視聴制御手段と、
を有することを特徴とするテレビ視聴装置。
構成１に於いて、携帯電話機という限定を解除した構成である。
構成７の装置に、前記構成２〜５と同様の構成を取り入れてもよい。
【発明の効果】
【００１２】
構成１の携帯電話機は、視聴情報で指示されるテレビ放送を受信して映像等出力するテレビ視聴機能と近距離無線通信機能とを備え、前記テレビ視聴機能により受信されるテレビ放送を特定する視聴情報又は前記近距離無線通信機能により受信される視聴情報を取得して所定の視聴情報メモリに記憶する記憶制御手段と、前記視聴情報メモリが持つ最新の視聴情報を読み出して前記近距離無線通信機能を介して外部機器へ送信する送信制御手段と、テレビ放送の視聴開始が指令されると前記視聴情報メモリが持つ最新の視聴情報を読み出して前記テレビ視聴機能に与える視聴制御手段とを有するため、付近の装置（据え置き型のテレビ視聴装置等）が持つ視聴情報を視聴情報メモリに記憶しておき、テレビ放送の視聴開始が指令されると、最新の視聴情報が指すチャンネル（番組）を自動的に設定して視聴開始できる。
【００１３】
構成６の携帯型電子装置は、近距離無線通信機能を備え、前記近距離無線通信機能により受信される状態情報を取得して所定の状態情報メモリに記憶する記憶制御手段と、前記状態情報メモリが持つ最新の状態情報を読み出して前記近距離無線通信機能を介して外部機器へ送信する送信制御手段とを有するため、例えば、会社のコンピュータで実行していたアプリケーションを自宅のコンピュータを起動した時に自動的に起動したり、自分の自動車から会社の自動車に乗り換えて運転を開始する時に座席の位置等の設定を自動的に自分に合わせたり、部屋を移動してエアコンをオンした時に温度等の設定を自動的に好みの設定に合わせる等を可能とすることができる。
【００１４】
構成７のテレビ視聴装置は、視聴情報で指示されるテレビ放送を受信して映像等出力するテレビ視聴機能と近距離無線通信機能とを備え、前記テレビ視聴機能により受信されるテレビ放送を指示する視聴情報又は前記近距離無線通信機能により受信される視聴情報を取得して所定の視聴情報メモリに記憶する記憶制御手段と、前記視聴情報メモリが持つ最新の視聴情報を読み出して前記近距離無線通信機能を介して外部機器へ送信する送信制御手段と、テレビ放送の視聴開始が指令されると前記視聴情報メモリが持つ最新の視聴情報を読み出して前記テレビ視聴機能に与える視聴制御手段とを有するため、付近の装置（テレビ付き携帯電話機等）が持つ視聴情報を視聴情報メモリに記憶しておき、テレビ放送の視聴開始が指令されると、最新の視聴情報が指すチャンネル（番組）を自動的に設定して視聴開始できる。
【発明を実施するための最良の形態】
【００１５】
以下、本発明の実施の形態を図を参照して説明する。
［１］機器の連携の概要：
図１は実施の形態の各機器（居間に設置されているテレビ視聴装置１０、テレビ付き携帯電話機２０、車載テレビ視聴装置３０）の連携を示す説明図であり、図２は各機器間のデータ送受信を説明するブロック図である。
居間に於いて、テレビ付き携帯電話機２０とテレビ視聴装置１０は、それぞれの近距離無線通信機を介して視聴情報を送受信して、それぞれの視聴情報メモリに記憶する。
所有者の移動に伴い、テレビ付き携帯電話機２０が居間から自動車へ移動すると、今度は、テレビ付き携帯電話機２０と車載テレビ視聴装置３０が、それぞれの近距離無線通信機を介して視聴情報を送受信して、それぞれの視聴情報メモリに記憶する。
送受信のタイミングや手順、受信した視聴情報をそれぞれの視聴情報メモリに記憶するか否か等の規則は、フローチャート（図４）に即して後述する。
【００１６】
［２］携帯電話機２０の機能：
本発明の実施の形態では、視聴情報を機器間で送受信してそれぞれの視聴情報メモリに記憶する機器連携に於いて、テレビ付き携帯電話機２０が主要な機能を果たす。このテレビ付き携帯電話機２０の機能を、図３を参照して簡単に説明する。
【００１７】
携帯電話機としての機能：
携帯電話機としての構成要素は、アンテナ２５９、電話用送受信回路２２１、チャネルコーデック２２２、音声コーデック２２３、マイク２５１、スピーカ２５２、入力装置２５４、表示装置２５５、及び制御装置２１０である。
【００１８】
アンテナ２５９で受信された電話電波は、電話用送受信回路２２１で復調され、チャネルコーデック２２２で分解されて必要なチャネルの音声信号が取り出され、音声コーデック２２３でアナログ信号に変換され、スピーカ２５２から音声として出力される。
一方、マイク２５１から入力された音声は、音声コーデック２２３によりデジタル化され、制御装置２１０からの制御信号とともにチャネルコーデック２２２にてＴＤＭＡ（又はＣＤＭＡでもよい）信号へ変換され、電話用送受信回路２２１にて変調されて、アンテナ２５９から送出される。
【００１９】
着信が検出されると制御装置２１０は報知音をスピーカ２５２から出力する。なお、不図示のバイブレータを振動させるようにしてもよい（マナーモードの場合）。
入力装置２５４は、呼出相手先の電話番号の入力、モードの設定若しくは切り換え（電話モード／テレビ視聴モード／ビデオ録画モード，の切り換え等）や、携帯電話機やテレビ／ビデオ視聴装置に於いて必要とされる種々の入力に用いられる。
表示装置２５５は、着信／呼出相手先の電話番号の表示や、モードの表示、メールの表示等、携帯電話機として必要な種々の表示に用いられる。
また、表示装置２５５は、テレビ／ビデオ映像の表示に用いられる。
【００２０】
テレビ視聴装置としての機能：
テレビ視聴装置としての構成要素は、アンテナ２５９、テレビ用受信回路２３１、デスクランブラ２３２、デマルチプレクサ２３３、デコーダ（例：ＭＰＥＧデコーダ）２３４、音声処理回路２３５、スピーカ２５２、映像処理回路２３６、表示装置２５５、入力装置２５４、及び制御装置２１０である。
【００２１】
アンテナ２５９で受信されたテレビ電波は、テレビ用受信回路２３１にて選局・復調・誤り訂正され、デスクランブラ２３２によりスクランブルを解除されてトランスポートストリーム（ＴＳ）が取り出される。このトランスポートストリーム（ＴＳ）からデマルチプレクサ２３３にて必要な番組のパケットが取り出され、更にサービスインフォメーション（ＳＩ）が取得され、クロックが再生される。取り出されたパケットは、デコーダ２３４にて音声データと映像データに復号され、それぞれ、音声処理回路２３５によりアナログの音声信号に変換されてスピーカ２５２から音声として出力され、映像処理回路２３６により表示装置２５５に適合する走査フォーマットのアナログのビデオ信号に変換されて表示装置２５５から映像として出力される。
【００２２】
テレビ視聴の開始が指令されると、制御装置２１０は記憶装置２１１内の視聴情報メモリから最新の視聴情報（後述のように最新の視聴情報が更新されて記憶されている）を読み出して、該視聴情報が指す番組（チャンネル・イベント）に視聴対象を設定して、テレビ視聴（音声・映像出力）を開始する。
【００２３】
録画装置としての機能：
録画装置２５７は、録画時には、トランスポートストリームからデマルチプレクサ２３３により取り出した所望の番組のパケットを、内蔵の記録装置（例：ハードディスク、メモリ等，不図示）に記録する。
また、録画装置２５７は、再生時には、記録したパケットを順に取り出してデコーダ２３４へ送って復号し、映像及び音声として出力する。
なお、圧縮状態のパケットではなく、デコーダ２３４にて復号した後のデータを記録するように構成してもよい。復号後のデータを録画した場合には、再生時には、デコードすることなく、音声処理回路２３５や映像処理回路２３６へ出力することとなる。
【００２４】
近距離無線通信機能：
制御装置２１０は、所定の番組調査タイミング毎に、又は、近距離無線通信機２７０を介して入力される視聴情報の要求に応答して、又は、テレビ視聴機能に於いて視聴番組が切り換えられる毎に、記憶装置２１１内の視聴情報メモリに蓄積している視聴情報を読み出して、近距離無線通信機２７０を介して送信する。
近距離無線通信機２７０としては、ここでは、ブルートゥース（Bluetooh）方式の無線通信機を用いるものとする。
また、制御装置２１０は、所定の番組調査タイミング毎に、近距離無線通信機２７０を介して周辺の機器へ視聴情報の送信を要求する。
【００２５】
［３］機器の連携の詳細：
図４のフローチャートに即して、及び、図５〜図６の視聴情報メモリのデータの推移を参照して、機器連携の詳細を説明する。なお、図４はテレビ付き携帯電話機の制御手順であるが、特徴点（視聴情報の送受信・記憶）の制御手順は、居間に設置のテレビ視聴装置１０や車載のテレビ視聴装置３０でも同様である。
【００２６】
（ａ）番組調査タイミング到来時（Ｓ０１〜Ｓ０５）：
所定の時間間隔で到来する番組調査タイミングになると（Ｓ０１でＹＥＳ）、制御装置２１０は、記憶装置２１１の視聴情報メモリから最新の視聴情報（後述のＳ２１に示すように最新の視聴情報が更新されて記憶されている）を読み出して無線通信機２７０を介して送信するとともに（Ｓ０３）、付近のテレビ視聴装置に対して、視聴情報の送信を要求する（Ｓ０５）。なお、ブルートゥース方式の無線通信機２７０は、同方式の近距離無線通信機を備えた装置の有無を調べて、有る場合には当該装置の近距離無線通信機との間でデータの送受信が可能なように設定を行なっているものとする。
【００２７】
視聴情報として、本例の各装置では、図５や図６に示すように、チャンネル番号、イベント番号、テレビ視聴機能の状態（視聴中／待機中）、更新日時、同期機能の状態（オン／オフ）を採用している。
同期機能の状態とは、付近のテレビ視聴装置との間で視聴情報の送受信を行なうか否かを規定するデータであり、同期機能オンの場合にのみ、図４に示す処理（ステップＳ０１〜Ｓ５３の処理）が可能とされる。
また、チャンネル番号とイベント番号は、視聴番組を特定する情報である。即ち、地上波デジタル放送では、図６（ｂ）に示すように、１テレビ局から１チャンネルが放送されるとともに、１チャンネルに３イベントが多重されており、放送内容（番組）がイベント毎に異なるため、視聴番組の特定には、チャンネル番号とイベント番号が必要となる。なお、テレビ付き携帯電話機向けの地上波デジタル放送の場合、現時点では１チャンネルに１イベントのみであるが、他のテレビ視聴装置の視聴情報との関連付け（送受信と状態に応じて行なう更新）のために、イベント番号も必要となる。
【００２８】
（ｂ）視聴情報の受信時（Ｓ１１〜Ｓ２１）：
付近の装置から視聴情報が受信されると（Ｓ１１でＹＥＳ）、自装置のテレビ視聴機能が待機中であるか、又は視聴中であるかをチェックする（Ｓ１３）。具体的には、自装置の視聴情報メモリの状態項目（図５の中段の状態項目を参照）のデータを調べる。
その結果、自装置のテレビ視聴機能の状態が視聴中の場合は（Ｓ１３でＮＯ）、ステップＳ１５〜Ｓ２１の処理は行なわない。つまり、受信された視聴情報を無視する。
【００２９】
一方、自装置のテレビ視聴機能の状態が待機中の場合は（Ｓ１３でＹＥＳ）、当該視聴情報の送信元装置のテレビ視聴機能が待機中であるか、又は視聴中であるかをチェックする（Ｓ１５）。具体的には、今回受信した視聴情報の状態項目（図５の上段の状態項目を参照）のデータを調べる。
その結果、送信元装置のテレビ視聴機能の状態が視聴中の場合は（Ｓ１５でＮＯ）、直ちにステップＳ２１の処理へ進む。即ち、自装置の視聴情報メモリのデータを、受信した視聴情報で更新する（Ｓ２１；図５の中段〜下段のデータ推移を参照）。
【００３０】
一方、送信元装置のテレビ視聴機能の状態が待機中の場合は（Ｓ１５でＹＥＳ）、自装置の視聴情報メモリの更新日時項目（図５の中段の更新日時項目を参照）のデータと、今回受信した送信元装置の視聴情報の更新日時項目（図５の上段の更新日時項目を参照）のデータの、新旧を調べる（Ｓ１７）。
その結果、自装置の視聴情報メモリの更新日時が新しい場合は（Ｓ１９でＮＯ）、ステップＳ２１の処理は行なわない。つまり、受信された視聴情報を無視する。
【００３１】
一方、自装置の視聴情報メモリの更新日時が古い場合は（Ｓ１９でＹＥＳ）、ステップＳ２１の処理へ進む。即ち、自装置の視聴情報メモリのデータを、受信した視聴情報で更新する（Ｓ２１；図５の中段〜下段のデータ推移を参照）。
【００３２】
このように、視聴情報が外部機器から受信された場合には、自装置のテレビ視聴機能が待機中であるか視聴中であるか、及び、送信元の装置のテレビ視聴機能が待機中であるか視聴中であるかに応じて、それぞれ異なる処理を実行する。
なお、図５は、自装置がテレビ付き携帯電話機２０で、付近の装置が居間に設置のテレビ視聴装置１０の場合の視聴情報メモリのデータの推移を示すが、図６（ａ）は、自装置が車載のテレビ視聴装置３０で、付近の装置がテレビ付き携帯電話機２０の場合の視聴情報メモリのデータの推移を示す。
【００３３】
（ｃ）番組切換時（Ｓ３１〜Ｓ３５）：
自装置のテレビ視聴機能で視聴番組（チャンネル・ＩＤ）が切り換えられると（Ｓ３１でＹＥＳ）、記憶装置２１１の視聴情報メモリの視聴情報を番組切換後の視聴情報で更新するとともに（Ｓ３３）、更新後の視聴情報を無線通信機２７０を介して付近の外部機器へ送信する（Ｓ３５）。即ち、番組の切換を直ちに付近の装置へ知らせる。
【００３４】
（ｄ）視聴情報の送信要求受信時（Ｓ４１〜Ｓ４３）：
付近の装置から視聴情報の送信要求が受信されると（Ｓ４１でＹＥＳ）、記憶装置２１１の視聴情報メモリから最新の視聴情報（Ｓ２１に示すように最新の視聴情報が更新されて記憶されている）を読み出して、無線通信機２７０を介して当該送信元の装置へ送信する（Ｓ４３）。
【００３５】
（ｅ）視聴開始時（Ｓ５１〜Ｓ５３）：
自装置のテレビ視聴機能で視聴開始が指令されると（Ｓ５１でＹＥＳ）、記憶装置２１１の視聴情報メモリから視聴情報を読み出して、そのチャンネル番号とイベント番号で指示される番組を視聴対象として設定する（Ｓ５３）。これにより、視聴情報が指す番組の視聴が開始される。
【００３６】
［４］構成６の携帯型電子装置の場合：
図４のフローチャートに於いて、視聴情報を機器の種別に応じた状態情報（実行中のアプリケーションを特定する情報／自動車座席の設定状態を特定する情報／エアコンの温度等の設定状態を特定する情報，等）と読み替えるとともに、番組の切換（Ｓ３１）を状態の切換に読み替え、視聴開始（Ｓ５１）を動作開始に読み替えることで、携帯型電子装置が対象とする機器としての処理が可能となる。なお、携帯型電子装置自体はアプリケーションの実行／座席の状態の設定／温度設定等の機能を実行する装置ではないため、自装置が待機中か否かをチェックするステップＳ１３、状態の切換に関するステップＳ３１〜Ｓ３５、動作開始に関するステップＳ５１〜Ｓ５３は不要である。
【図面の簡単な説明】
【００３７】
【図１】本発明の全体概念を示す説明図。
【図２】図１内のテレビと携帯電話機の構成を示すブロック図。
【図３】図２内のテレビ付き携帯電話機の２０の構成を示すブロック図。
【図４】テレビ付き携帯電話機２０の制御手順を示すフローチャート。
【図５】居間設置テレビ１０とテレビ付き携帯電話機２０の視聴情報の送受によりテレビ付き携帯電話機２０の視聴情報メモリが更新される様子を示す説明図。
【図６】（ａ）はテレビ付き携帯電話機２０と車載テレビ３０の視聴情報の送受により車載テレビ３０の視聴情報メモリが更新される様子を示す説明図、（ｂ）は地上波デジタル放送の１チャンネルのデータ構成を示す説明図。
【符号の説明】
【００３８】
１０  居間に設置されるテレビ
２０  テレビ付き携帯電話機
３０  車載テレビ
【図１】
2006014122.tif 000003
【図２】
2006014122.tif 000004
【図３】
2006014122.tif 000005
【図４】
2006014122.tif 000006
【図５】
2006014122.tif 000007
【図６】
2006014122.tif 000008